(57)【要約】  本発明は、少なくとも１つの紙片からのクッション包装要素の分配装置（１）であって、少なくとも１つの紙片が巻き付けられる少なくとも２つの案内手段（２）と、少なくとも１つの紙片を駆動するための少なくとも１つの駆動要素（３）と、少なくとも１つの紙片を折り目加工するための少なくとも１つの折り目加工手段（４）と、を備え、案内手段（２）が少なくとも１つの折り目加工手段（４）の先、すなわちその下流に延在することを特徴とする、分配装置（１）に関する。
2020503200.tif 000002
【特許請求の範囲】
【請求項１】
少なくとも１つのペーパーウェブ（１０）からのクッション包装要素（９）の分配装置（１）であって、
少なくとも１つのペーパーウェブ（１０）が巻き付けられる、少なくとも２つの案内手段（２）と、
少なくとも１つのペーパーウェブ（１０）の、少なくとも１つの駆動手段（３）と、
少なくとも１つのペーパーウェブ（１０）の、少なくとも１つのしわ加工手段（４）と、を備え、
前記案内手段（２）が少なくとも１つのしわ加工手段（４）の先、すなわち下流に延在することを特徴とする、分配装置（１）。
【請求項２】
前記案内手段（２）が長手方向外形であることを特徴とする、先行する請求項に記載の分配装置（１）。
【請求項３】
前記少なくとも２つの案内手段（２）の周りへの少なくとも１つのペーパーウェブ（１０）の位置決めを可能にする、前記案内手段（２）の上流の成形手段（５）を備えることを特徴とする、先行する請求項のいずれか１項に記載の分配装置（１）。
【請求項４】
前記成形手段（５）が、端部が重なる閉鎖経路（６）によって提供されることを特徴とする、先行する請求項に記載の分配装置（１）。
【請求項５】
前記成形手段（５）が、端部が同じ側に横方向に位置する閉鎖経路（６）によって提供される、すなわち前記経路（６）がＣの形態であることを特徴とする、請求項３に記載の分配装置（１）。
【請求項６】
前記案内手段（２）が、前記経路（６）によって区切られる内部空間に含まれることを特徴とする、請求項４または請求項５に記載の分配装置（１）。
【請求項７】
前記成形手段（５）の上流に前記ペーパーウェブ（１０）の挿入手段（８）を備えることを特徴とする、請求項３から請求項６のいずれか１項に記載の分配装置（１）。
【請求項８】
前記挿入手段（８）が、前記経路（６）の延長において、外方向に向けられる外形によって提供される、先行する請求項に記載の分配装置（１）。
【請求項９】
２つの案内手段（２）の間に少なくとも１つのペーパーウェブ（１０）の少なくとも一部を拘束することが意図される、少なくとも２つの位置決め手段（７）を備えることを特徴とする、先行する請求項のいずれか１項に記載の分配装置（１）。
【請求項１０】
前記位置決め手段（７）の下端が、前記案内手段（２）の下端に対応して位置するまたは実質的に位置することを特徴とする、先行する請求項に記載の分配装置（１）。
【請求項１１】
少なくとも１つの駆動手段（３）が、２つの案内手段（２）の間に位置することを特徴とする、先行する請求項のいずれか１項に記載の分配装置（１）。
【請求項１２】
少なくとも１つの折り目加工手段（４）が、２つの案内手段（２）の間に位置することを特徴とする、先行する請求項のいずれか１項に記載の分配装置（１）。
【請求項１３】
前記案内手段（２）が２つの異なる区域の２つの部分（２ａ，２ｂ）を備えることを特徴とし、最小区域はより大きな区域の下流に位置する、先行する請求項のいずれか１項に記載の分配装置（１）。
【請求項１４】
駆動手段（３）が、いずれも前記折り目加工手段（４）の上流の、後車軸（３ａ）と、前記後車軸（３ａ）の下流の前車軸（３ｂ）を備えることを特徴とする、先行する請求項のいずれか１項に記載の分配装置（１）。
【請求項１５】
少なくとも１つの案内手段（２）の周縁部に、少なくとも１つのペーパーウェブ（１０）を挿入するステップと、
前記案内手段（２）の下端の間に前記ペーパーウェブ（１０）の一部を位置決めするステップと、
前記案内手段（２）に沿って前記ペーパーウェブ（１０）の移動を開始するステップと、
前記ペーパーウェブ（１０）を折り目加工するステップと、を備える、ひだ加工された紙のクッション包装要素（９）を製造する方法。
【請求項１６】
接続領域（１２）を区切る少なくとも２つの長手方向ダクト（１１）を形成する、少なくとも１枚のしわ加工された紙を備え、前記長手方向ダクト（１１）が、各々、前記長手方向ダクト（１１）の周縁部に位置する折り目の内側端部によって規定される長手方向内側区域に対応する、連続的な内側中空本体（１５）を備えることを特徴とする、クッション包装要素（９）。
【請求項１７】
中空本体（１５）が、その長手方向区域のすべてまたは実質的にすべてにおいて一定のまたは実質的に一定の区域を有することを特徴とする、先行する請求項に記載のクッション包装要素（９）。
【請求項１８】
中空本体（１５）が、円形、矩形、四角形、長方形、三角形または六角形から選択される断面を有する長手方向区域によって提供されることを特徴とする、請求項１６または請求項１７に記載のクッション包装要素（９）。
【請求項１９】
前記接続領域（１２）が、少なくとも長手方向に少なくとも２枚のしわ加工されたシートのみからなることを特徴とする、請求項１６から請求項１８のいずれか１項に記載のクッション包装要素（９）。
【請求項２０】
請求項１６から請求項１９のいずれか１項に記載のクッション包装要素（９）の製造のための消耗品であって、前記消耗品は、３つの区域に折られる紙片（１０）で形成され、その横方向端部は重なり、前記ペーパーウェブ（１０）がその長さに沿って規則的に分配される横方向のミシン目の線を備えることを特徴とする、消耗品。
【請求項２１】
前記ペーパーウェブ（１０）が複数の厚さで形成されることを特徴とする、先行する請求項に記載の消耗品。
【発明の詳細な説明】
【技術分野】
【０００１】
本発明は、クッション包装要素を分配する装置、その実施方法、およびこのようなクッション包装要素に関する。
【背景技術】
【０００２】
クッション要素の存在は、箱の中に包装されることとなる物体を保護し、包む。これらのくさびは、隙間を満たして箱の内部の物体をくさび留めし、したがって移動および起こり得る落下に固有の衝撃を吸収することを可能にする。
【０００３】
多くのタイプのクッション解決策が、包装の分野で存在する。非再生可能材料をなくし、再生紙包装に移行する傾向に一般的にある。
【発明の概要】
【発明が解決しようとする課題】
【０００４】
紙クッション要素は、粗く折り目加工され、許容されるが満足できない機械的特性をもたらす。
【０００５】
したがって、本発明は、先述の欠点を克服するために、クッション包装要素を作成する分配装置を提供する。
【課題を解決するための手段】
【０００６】
したがって、少なくとも１つの紙片からのクッション要素および包装の本発明に係る分配装置は、少なくとも１つの紙片が巻き付けられる少なくとも２つの案内手段と、少なくとも１つの駆動手段と、少なくとも１つの紙片を折り目加工するための少なくとも手段とを備えるとともに、案内手段は、少なくとも１つの折り目加工手段の先、すなわち下流に延在する。
【０００７】
案内手段は長手方向外形であることが追加されるべきである。
１つの実施形態によれば、分配装置は、上記少なくとも２つの案内手段の周りへの少なくとも１つの紙片の位置決めを可能にする、案内手段の上流の成形手段を備える。
【０００８】
前述の実施形態によれば、成形手段は、端部が重なる閉鎖経路である。
別の実施形態では、成形手段は、端部が同じ側に横方向に位置する閉鎖経路にある、すなわち経路はＣの形態である。
【０００９】
前述の実施形態によれば、案内手段は、経路によって区切られる内部空間に含まれる。
追加の特徴によれば、分配装置は、成形手段の上流のペーパーウェブを挿入するための手段を備える。
【００１０】
先行する特徴によれば、挿入手段は、経路の延長において、外側に向かって方向付けられる外形によって提供される。
【００１１】
１つの実施形態によれば、分配装置は、２つの案内手段の間の少なくとも１つの紙片の少なくとも一部を押し付けるための少なくとも１つの位置決め手段を備える。
【００１２】
前述の実施形態によれば、位置決め手段の下端は、案内手段の下端に対応して位置するまたは実質的に位置する。
【００１３】
好ましい実施形態によれば、少なくとも１つの駆動手段が、２つの案内手段の間に位置するとともに、少なくとも１つの折り目加工手段は、２つの案内手段の間に位置する。
【００１４】
補足の構成によれば、案内手段は、２つの異なる区域の２つの部分を備え、最小区域は、より大きい区域の下流に位置する。
【００１５】
１つの実施形態によれば、駆動手段は、いずれも折り目加工手段の上流の、後車軸、および後車軸の下流の前車軸を備える。
【００１６】
本発明は、少なくとも２つの案内手段の周縁部に少なくとも１つのペーパーウェブを導入するステップ、案内手段の間にペーパーウェブの一部を位置決めし、案内手段に沿ってペーパーウェブを移動させ、紙を折り目加工するステップを含む、折り目加工された紙のくさび包装要素の作製方法にも関する。
【００１７】
本発明は、接続領域を区切る少なくとも２つの長手方向ダクトを形成する、少なくとも１枚のひだ加工された紙を備えるクッション包装要素にも関し、長手方向ダクトは、各々、長手方向ダクトの周縁部に位置する折り目の内側端部によって規定される長手方向内側区域に対応する、連続的な内側中空本体を備える。
【００１８】
中空本体は、その長手方向外形のすべてまたは実質的にすべてにおいて一定のまたは実施的に一定の区域を有することが追加されるべきである。
【００１９】
なお、中空本体は、円形、矩形、四角形、長方形（oblongue）、三角形または六角形から選択される断面を有する長手方向区域によって提示される。
【００２０】
なお、接続領域は、少なくとも長手方向に少なくとも２枚のひだ加工されたシートのみから構成される。
【００２１】
追加の特徴によれば、本発明に係るクッション包装要素の作製のために意図される消耗品が、３つの区域で折られる紙片で形成され得る。その横方向端部は重なり、ペーパーウェブがその長さに沿って規則的に分配される横方向のミシン目の線を備えることを特徴とする。
【００２２】
先行する特徴によれば、ペーパーウェブは、複数の厚さで形成される。
本発明の別の構成および利点は、非限定的な例として与えられる添付の図面を参照して、以下の説明から明らかになる。
【図面の簡単な説明】
【００２３】
図１〜図９は、本発明の１つの実施形態に係る時限要素および包装装置の図である。
【図１】斜視図である。
【図２】Ａ−Ａに沿った断面図である。
【図３】部分斜視図である。
【図４】図２のＢ−Ｂに沿った断面図である。
【図５】図２のＣ−Ｃに沿った断面図である。
【図６】成形手段の延長に位置する挿入手段の斜視図である。
【図７】挿入手段の中への成形手段へのペーパーウェブの挿入を図示する斜視図である。
【図８】挿入手段の中への成形手段へのペーパーウェブの挿入を図示する斜視図である。
【図９】挿入手段の中への成形手段へのペーパーウェブの挿入を図示する斜視図である。
【図１０ａ】本発明の１つの実施形態に係るクッション要素および包装の斜視図である。
【図１０ｂ】本発明の別の実施形態に係るクッション要素および包装の斜視図である。
【図１１】消耗品の斜視図である。
【発明を実施するための形態】
【００２４】
この発明は、第一に、少なくとも１つのペーパーウェブ（１０）からのクッション包装要素（９）のための分配装置（１）に関する。
【００２５】
本発明に係る分配装置（１）は、各々少なくとも１つの独立した自由端部を有し、その少なくとも１つの周りに少なくとも１つの紙片（１０）が巻き付けられる、少なくとも２つの案内手段（２）を備えるとともに、少なくとも１つのペーパーウェブ（１０）の駆動手段（３）と、媒体駆動部（３）の下流の少なくとも１つのペーパーウェブ（１０）の少なくとも１つの折り目加工手段（４）とを備える。
【００２６】
１つの特徴によれば、案内手段（２）は、長手方向外形を有し、そのすべてに沿って、少なくとも１つのペーパーウェブ（１０）が巻き付けられる。
【００２７】
先行する特徴によれば、案内手段（２）は、作製されたクッション包装要素（９）の成形部にわたって延在する、すなわち案内手段（２）は、以下の説明においてより詳細に説明されるように、成形手段（５）の出口からしわ加工手段（４）まで延在する。
【００２８】
案内手段（２）の長手方向外形は、円形、矩形、四角形、長方形、またはさらには三角形もしくは六角形などの、好ましくは特に図１に示されるような円形の断面形状を有し得る。
【００２９】
先行する特徴によれば、案内手段（２）は、同一方向に平行に方向付けられる。
例示の実施形態によれば、案内手段（２）は、減少する断面を有する少なくとも２つの部分（２ａ，２ｂ）を備え、すなわち第１部分（２ａ）は、第１のものよりも小さい断面を有する第２部分（２ｂ）の上流にある。
【００３０】
なお、２つの案内手段（２）は、少なくとも１つの紙片（１０）の少なくとも１つの位置決め手段（７）に位置する中央空間を規定する。
【００３１】
なお、位置決め手段（７）は、２つの案内手段（２）の間において、中央空間の少なくとも１つのペーパーウェブ（１０）に適合する。
【００３２】
より正確には、位置決め手段（７）は、この位置決め手段（７）に対応する面すべてに適合する、すなわち少なくとも１つの紙片（１０）の少なくとも２つの側は、互いに面する、好ましくは互いに対する区域に適合する。
【００３３】
１つの実施形態によれば、少なくとも１つの位置決め手段（７）は、しわ加工手段（４）の方向において少なくとも１つのペーパーウェブ（１０）に適合する。
【００３４】
例示の実施形態によれば、位置決め手段（７）は、いずれも２つの案内手段（２）の間の中央空間に位置する、駆動手段（３）、およびその後折り目加工手段（４）に向かって少なくとも１つのペーパーウェブ（１０）に適合する、すなわち位置決め手段（７）、駆動手段（３）および折り目加工手段（４）は、中央空間に沿って位置合わせされる。
【００３５】
前述の実施形態によれば、駆動手段（３）は案内手段（２）の第１部分（２ａ）の間に位置する一方、折り目加工手段（４）は案内手段（２）の第２部分（２ｂ）の間に配置される。
【００３６】
言い換えれば、少なくとも１つの位置決め手段（７）は、有利には少なくとも１つのペーパーウェブ（１０）が実質的に案内手段（２）の各々の周縁部の周りに巻き付けられるように、折り目加工手段（４）の上流、好ましくは駆動手段（３）の上流の少なくとも１つの紙片（１０）に適合する。
【００３７】
案内手段（２）の第２部分（２ｂ）における折り目加工手段（４）の位置決めは、しわ加工動作が一定の断面を有する長手方向区域上で行われた場合よりも大きい高さを有するしわ加工領域を得ることを可能にする。
【００３８】
これらのしわ加工領域は、ダクトの周縁部で部分的にのみしわ加工された場合よりも良好な圧縮強さを有する。
【００３９】
なお、折り目加工手段（４）は、有利には、駆動手段（３）のそれよりも低いスピードで、少なくとも１つのペーパーウェブ（１０）を減速または駆動する手段である。
【００４０】
例示の実施形態によれば、折り目加工手段（４）は、２つのノッチ付き車輪の接続の形態であり、車輪の各々のそれぞれのノッチは、車輪が接触しないようにオフセットされている。
【００４１】
前述の実施形態によれば、ノッチ付き車輪は、機械的に接続されており、単一のモータによって駆動され、車輪が接触することおよび装置を傷付けることも防止する。
【００４２】
なお、駆動手段（３）としわ加工手段（４）との間のスピード差が大きいほど、折り目はより集中する。より多いひだは、横方向の圧縮に対する耐性を向上させる。
【００４３】
示された実施形態によれば、駆動手段（３）は、各々一対の転がり軸受が設けられる駆動輪を備える、前車軸（３ｂ）および後車軸（３ａ）を備える。
【００４４】
１つの特徴によれば、駆動輪は、ばねによってもたらされる鉛直方向の力によってそれに関連する軸受けに接触する。
【００４５】
先行する特徴によれば、少なくとも１つの紙片（１０）のパネル、すなわち少なくとも２つのパネルは、駆動輪と軸受との間の加圧、ならびに前トレイン（３ｂ）および後トレイン（３ａ）の動きの開始によって駆動される。
【００４６】
前車軸（３ｂ）は、モータに連結される一方、後車軸は、磁性ブレーキなどのクラッチおよび／またはブレーキ手段を介して同じモータに連結される。
【００４７】
なお、前車軸（３ｂ）は、後車軸（３ａ）の下流に位置する。
駆動手段（３）のこの動作モードは、後車軸が解放されるまたはブレーキをかけられるときに、予め切断された領域に沿った少なくとも１つの紙片（１０）のブレーキによって決定される長さにしたがって、クッション包装要素を切断することを可能にする。
【００４８】
例示の実施形態によれば、分配装置（１）は、また、少なくとも３つの検出セル、すなわち後車軸（３ａ）の上流の第１セル、２つのトレイン（３ａ，３ｂ）の間の第２セル、および前車軸（３ｂ）とひだ加工手段（４）との間の第３セルを備える。これらの検出セルの存在は、モータ、クラッチおよびブレーキを要求に従って活性化するために、少なくとも１つの紙片（１０）の位置を決定することを可能にする。
【００４９】
図示されない特定の実施形態によれば、駆動手段（３）および少なくとも１つの折り目加工手段（４）は、後車軸（３ａ）および前車軸（３ｂ）によってそれぞれ表される。前輪（３ｂ）は、後車軸（３ａ）よりも低いスピードで動かされる。
【００５０】
１つの特徴によれば、分配装置（１）は、これらの上流に、少なくとも２つの案内手段（２）の外側周縁部の周りの少なくとも１つのペーパーウェブ（１０）の成形手段を備える。
【００５１】
この成形手段（５）は、少なくとも１つのペーパーウェブ（１０）が案内手段（２）の周りに巻き付くことを可能にする入口および出口を有する。
【００５２】
例示の実施形態によれば、成形手段（５）は、少なくとも１つのペーパーウェブ（１０）の通路を備え、これは、少なくとも１つの紙片（１０）のそれ自体への巻付けを可能にする閉鎖経路（６）によって提供される、すなわち経路（６）の境界の端部は、有利には、オフセットされるように重なる。
【００５３】
別の実施形態によれば、成形手段（５）は、端部が同じ側に横方向に位置する閉鎖経路（６）によって提供される、すなわち経路（６）は、押し潰されたＣ形状にある。
【００５４】
なお、案内手段（２）の上流端部には、適合手段（５）が固定されるまたは形作られる。
【００５５】
より正確には、図２に示されるように、案内手段（２）の上流端部は、少なくとも１つの紙片（１０）の成形手段（５）の経路（６）によって配置される空間の内部に位置する。
【００５６】
追加の特徴によれば、少なくとも１つのペーパーウェブ（１０）の後者へ位置決めを容易にするために、より特定的には、少なくとも１つのペーパーウェブ（１０）の成形手段（５）の経路（６）の中への挿入を容易にするために、同様に少なくとも１つのペーパーウェブ（１０）の案内手段（２）の周りへの位置決めを容易にするために、挿入手段（８）が成形手段（５）の上流に追加される。
【００５７】
特に図６に示される１つの実施形態によれば、挿入手段（８）は、成形手段（５）の経路（６）の外方向延長にある、傾斜の形態である。
【００５８】
言い換えれば、挿入手段（８）は、経路（６）の延長において、外方向に向けられた外形である。
【００５９】
図７〜図９に示されるように、紙片（１０）の側部パネルが、経路（６）の内側端部に対して対向して隣接するように挿入され、より特定的には、経路（６）の内側端部の延長に配置される挿入手段（８）の外形部分に対して提示される一方、ペーパーウェブの他の側部パネルは、ペーパーウェブを適合手段（５）に容易に挿入するように、経路（６）の外側端部の延長に配置される挿入手段（８）の外形の一部に対して係合される。
【００６０】
本発明に係るクッション包装要素（９）は、有利には、予めまたはその後箱に入れられる、保護対象となる物品の少なくとも一部の周りに巻き付けられることが意図される。クッション包装要素（９）は保護対象となる物体の底部および／または上部に配置されてもよいことが理解される。
【００６１】
なお、本発明に係るクッション要素および包装（９）は、ひだ加工された紙で作成され、２つの長手方向ダクト（１１）によって規定される少なくとも１つの接続領域（１２）によって提供される。
【００６２】
なお、長手方向ダクト（１１）は、概ね規則的な外形を有し、その形状は、用いられる案内手段（２）のそれに依存する。
【００６３】
長手方向ダクト（１１）は、それらの周縁部で折り目加工されるが、それらの大まかな外形は、案内手段（２）のそれに対応することが理解される。
【００６４】
長手方向ダクト（１１）がそれらの周縁部においてひだ加工される間、概ね規則的な外形を維持することは、特に径方向の圧縮、すなわち本発明に係るクッション要素および包装の長手方向に対して垂直な方向に対する耐性の点で、向上された機械的特性を得ることを可能にする。
【００６５】
概ね規則的な外形によって、外形は、略円筒形、長方形、立方体、またはさらには三角形断面を有する一方、その周縁部においてひだ加工されることが理解される。
【００６６】
補足の特徴によれば、図１０ａおよび図１０ｂに示されるように、長手方向ダクト（１１）は、案内手段（２）の第２部分（２ｂ）の外形に対応する、すなわち長手方向ダクト（１１）の周縁部に位置する折り目の内側端部によって区切られる内側区域に対応する、連続的な中空本体（１５）を備える。
【００６７】
先行する特徴、中空本体（１５）、すなわち内側外形によれば、中空本体は、案内手段（２）の第２部分（２ｂ）のそれに等しいまたは実質的に等しい、その長手方向区域のすべてまたは実質的にすべてにおいて一定または実質的に一定の区域を有する。
【００６８】
なお、中空本体（１５）の外形は、それが収容される長手方向ダクト（１１）のそれに含まれる。
【００６９】
なお、中空本体（１５）は、円形、矩形、四角形、長方形、三角形または六角形から選択される断面を有する外形によって形成される。
【００７０】
中空本体（１５）の存在は、同じ量の紙について、より多くの体積を結果として生じる構造に提供するだけでなく、その周縁部に沿った応力分布天井によって、補強を構造に提供する。
【００７１】
その最終的な形状を得るために、本発明に係るクッション包装要素（９）は、有利には、少なくとも１つの接続領域（１２）に沿って、少なくとも１枚の紙を折り目加工することによる結合手段以外には、ミシン目、糊付けまたはステープルの使用などによる固定手段を含まない。
【００７２】
なお、クッション包装要素（９）は、それ自体に巻き付けられ、少なくとも接続領域（１２）において少なくとも長手方向に折り目加工される、好ましくは１枚の紙からなる、少なくとも１枚の紙からなる。
【００７３】
なお、接続領域（１２）は、その長手方向外形に沿って均一に折り目加工されるのみである。
【００７４】
１つの特徴によれば、接続領域（１２）は、それを区切る長手方向ダクト（１１）よりも多く折り目加工される。
【００７５】
先行する特徴によれば、本発明に係るクッション要素の特定の構造は、径方向の押し潰しに対する向上された耐性を提供する。
【００７６】
接続領域（１２）は、クッション包装要素（９）をもたらす少なくとも１枚の紙の形状を維持する単一の手段を提供する、シートの少なくとも２つの区域を固定する手段を構成する。
【００７７】
なお、クッションラッピング要素（９）は、条片の少なくとも２つの区域、好ましくは少なくとも３つの区域が重なり、直線的または実質的に直線でもある、少なくとも１つの長手方向または実質的に長手方向の接続領域（１２）において折り目加工される、少なくとも１つの包まれたペーパーウェブ（１０）から得られるとともに、ひだ加工されたペーパーウェブ（１０）は、その後、所望の長さで１枚のひだ加工された紙に切断される、好ましくは横方向のミシン目の線に沿って切断される。
【００７８】
したがって、１つの特徴によれば、ペーパーウェブ（１０）は，ペーパーウェブ（１０）の長さに沿って均一に分配される、横方向に配置されたミシン目の線によって提供される、予め切断された領域を含む。
【００７９】
言い換えれば、クッション要素（９）は、それ自体に巻かれ、かつ有利には長手方向もしくは実質的に長手方向、または直線的もしくは実質的に直線的な少なくとも１つの接続領域（１２）に沿って折り目加工される、少なくとも１枚の紙によって提示される。少なくとも１つの結合領域（１２）に対応して巻き付けられるシートのすべての区域は、少なくとも１つの領域連結（１２）の各々の側において、大まかな外形が接続領域（１２）の大まかな外形に方向付けられる長手方向ダクト（１１）を形成するように、上記結合領域（１２）内で折り目加工される。
【００８０】
なお、少なくとも１つの接続領域（１２）は、クッション包装要素（９）の横方向端部に平行または実質的に平行である。
【００８１】
紙はしわ加工されるため、それはクッション包装要素（９）の横方向端部に平行または実質的に平行である接続領域（１２）の大まかな外形であることが理解される。
【００８２】
なお、接続領域（１２）を区切る長手方向ダクト（１１）は、後者およびクッション包装要素（９）の横方向端部に平行または実質的に平行でもある。
【００８３】
紙はしわ加工されるため、それは接続領域（１２）大まかな外形およびクッション包装要素（９）の横方向端部に平行または実質的に平行である長手方向ダクト（１１）の大まかな外形であることも理解される。
【００８４】
１つの特徴によれば、それ自体に巻き付けられる１枚のしわ加工された紙は、少なくとも２つのパネル、またはさらには３枚のシートの少なくとも１つの接続領域（１２）を備える。
【００８５】
実施形態によれば、少なくとも２枚の紙で形成されるクッション包装要素（９）は、予め折られたまたはそうでない、少なくとも２つの紙片（１０）の重ね合わせから得られる。
【００８６】
例として、クッション包装要素（９）は、互いに隣接し、同じ方向に方向付けられ、本発明に係るクッション要素および包装（９）の横方向端部に少なくとも平行である、１つ、２つ、３つまたは４つの平行または実質的に平行な接続領域（１２）によってそれぞれ規定される、２つ、３つ、４つまたは５つの長手方向ダクト（１１）を有してもよい。
【００８７】
１つの特徴によれば、長手方向ダクト（１１）の長手方向端部、すなわち紙片（１０）が切断される端部は、外側に向かって開かれる。
【００８８】
図示しない実施形態によれば、クッション包装要素（９）の長手方向端部は、しわ加工されておらず、少なくとも実質的にしわ加工されておらず、内側体積が長手方向端部よりも大きいしわ加工された中央領域を区切る。
【００８９】
例示の実施形態によれば、本発明に係るクッション包装要素（９）は、３つの区域に予め折られる紙片（１０）の形態である少なくとも１つの消耗品から得られる。
【００９０】
前述の実施形態によれば、少なくとも１枚のしわ加工された紙で形成されるクッション包装要素（９）は、少なくとも部分的に重なる側部パネルによってシートの３つの区域を区切る２つの長手方向折り線（１３）によって予め折られる、少なくとも１つのペーパーウェブ（１０）から得られる。
【００９１】
なお、紙片（１０）は、その横方向端部がその中央部分の上面の上方に折られるため、それらが重なるように、予め折られる。
【００９２】
言い換えれば、予め折られたペーパーウェブ（１０）は、３つの区域、すなわち、中央パネルおよび２つの横方向パネルに区切られ、側部パネルの外側端部は、第１側部パネルが中央パネル上に折られる一方、第２側部パネルが第１側部パネル上に折られるように、隣接する。
【００９３】
１つの特徴によれば、予め折られたペーパーウェブ（１０）は、その長さに沿って均一に分配される切断済領域（１４）を備える。
【００９４】
前述の特徴によれば、切断済領域（１４）は、予め折られたペーパーウェブ（１０）の一方の縁部から他方のものまで、すなわち側部パネルの外側端部の各々から延在する。
【図１】
2020503200.tif 000003
【図２】
2020503200.tif 000004
【図３】
2020503200.tif 000005
【図４】
2020503200.tif 000006
【図５】
2020503200.tif 000007
【図６】
2020503200.tif 000008
【図７】
2020503200.tif 000009
【図８】
2020503200.tif 000010
【図９】
2020503200.tif 000011
【図１０ａ】
2020503200.tif 000012
【図１０ｂ】
2020503200.tif 000013
【図１１】
2020503200.tif 000014
【国際調査報告】
2020503200.tif 000015
2020503200.tif 000016
2020503200.tif 000017
2020503200.tif 000018